(57)【要約】【課題】  レンチキュラーレンズを有する記録媒体のレンチキュラーレンズの線条方向が、記録媒体毎に異ならないように記録装置に位置きめすること。【解決手段】  記録ヘッド３をＸＹの２方向に移動させて、載置台２の載置面５に載置されるシートＳに対して記録を行う記録装置１において、載置面５には、レンチキュラーレンズＳ１を有するシートＳを載置した際に、レンチキュラーレンズＳ２の隣接するレンズ要素Ｓ３とレンズ要素Ｓ３の間に入り、レンズ要素Ｓ３に対して係合する凸条部６を有すること。【選択図】  図１
2009288750.tif 000002
【特許請求の範囲】
【請求項１】
互いに直交する２方向に記録ヘッドを移動させ、記録媒体載置部に載置される記録媒体
に対して記録を行う記録装置において、
前記記録媒体載置部は、レンチキュラーレンズを有する記録媒体を載置した際に、前記
レンチキュラーレンズの隣接するレンズ要素とレンズ要素との間に入り、レンズ要素に対
して係合する係合部を有することを特徴とする記録装置。
【請求項２】
前記係合部は線条であることを特徴とする請求項１に記載の記録装置。
【請求項３】
前記係合部は、前記レンチキュラーレンズと同一ピッチで、前記記録媒体を内側に位置
させることができる範囲に亘って設けられていることを特徴とする請求項１または２に記
載の記録装置。
【請求項４】
前記係合部がレンチキュラーレンズに係合する方向に前記記録媒体載置部を移動する移
動機構を備えることを特徴とする請求項１から３のいずれか１項に記載の記録装置。
【請求項５】
前記記録媒体が載置される面に沿う面内で前記記録媒体載置部を回転させる回転機構を
備えることを特徴とする請求項１から４のいずれか１項に記載の記録装置。
【請求項６】
前記係合部は、前記記録媒体のレンチキュラーレンズと同一部材からなることを特徴と
する請求項１から５のいずれか１項に記載の記録装置。
【発明の詳細な説明】
【技術分野】
【０００１】
本発明は、レンチキュラーレンズを有する記録媒体に対して記録を行うことができる記
録装置に関する。
【背景技術】
【０００２】
記録層に重ねてレンチキュラーレンズを有し、記録層に記録された画像を、レンチキュ
ラーレンズを介して立体画像あるいは見る角度によって見える画像の形態等が変わる変り
絵画像として見ることができる記録媒体が従来から知られている。かかる記録媒体に記録
された画像を所定の立体画像あるいは変り絵画像として見ることができるようにするため
には、記録層への記録位置をレンチキュラーレンズのレンズ配列に精度良く対応させて行
う必要がある。例えば、特許文献１には、記録媒体の載置部に載置された記録媒体の縁部
に位置決め部材を当接することで、記録媒体の位置決めを行い、記録位置とレンチキュラ
ーレンズのレンズ配列とを精度良く対応させようとする記録装置が開示されている。
【０００３】
なお、特許文献２には、位置決めマークに基づいた裁断について開示されている。また
、特許文献３には、記録媒体を上方から加圧し浮き上がらないようにして記録媒体を位置
決めする構成が開示されている。
【０００４】
【特許文献１】特許第３３５２８７９号
【特許文献２】特開２００２−３５５７９３号
【特許文献３】特開２００６−７６０９９号
【発明の開示】
【発明が解決しようとする課題】
【０００５】
しかしながら、レンチキュラーレンズの線条方向とこの線条方向に沿うべき記録媒体の
縁部の方向とが記録媒体毎に異なっている場合がある。例えば、大判の記録媒体を裁断し
所望の小さいサイズの記録媒体を製造する場合に、裁断される大判の記録媒体の位置決め
精度が低い場合には、裁断された小さいサイズの記録媒体においては、記録媒体毎に、レ
ンチキュラーレンズの線条方向とこの線条方向に沿う記録媒体の縁部の方向とが異なって
しまうことがある。このような記録媒体に記録を行う場合に、記録媒体の縁部で位置決め
することとすると、記録媒体毎にレンチキュラーレンズの線条方向が異なってしまうこと
になる。そのため、記録層への記録位置をレンチキュラーレンズのレンズ配列に精度良く
対応させることができない。
【０００６】
そこで、本発明は、レンチキュラーレンズを有する記録媒体のレンチキュラーレンズの
線条方向が、記録媒体毎に異ならないように記録装置に位置きめすることができる記録装
置を提供することを目的とする。
【課題を解決するための手段】
【０００７】
上記課題を解決するために、本発明は、互いに直交する２方向に記録ヘッドを移動させ
、記録媒体載置部に載置される記録媒体に対して記録を行う記録装置において、記録媒体
載置部は、レンチキュラーレンズを有する記録媒体を載置した際に、レンチキュラーレン
ズの隣接するレンズ要素とレンズ要素との間に入り、レンズ要素に対して係合する係合部
を有することとする。
【０００８】
記録装置をこのように構成することで、レンチキュラーレンズを有する記録媒体のレン
チキュラーレンズの線条方向が、記録媒体毎に異ならないように、記録装置に位置決めす
ることができる。
【０００９】
また、他の発明は、上述の発明に加えて、係合部は線条であることとする。
【００１０】
記録装置をこのように構成することで、レンチキュラーレンズを有する記録媒体の位置
決めの精度を高くし確実なものとすることができる。
【００１１】
また、他の発明は、上述の発明に加えて、係合部は、レンチキュラーレンズと同一ピッ
チで、記録媒体を内側に位置させることができる範囲に亘って設けられていることとする
。
【００１２】
記録装置をこのように構成することで、シートの位置決め精度を高く、かつ、位置決め
を確実なものとすることができる。
【００１３】
また、他の発明は、上述の発明に加えて、係合部がレンチキュラーレンズに係合する方
向に記録媒体載置部を移動する移動機構を備えることとする。
【００１４】
記録装置をこのように構成することで、レンチキュラーレンズの線条方向に対して直交
する方向の記録位置を、レンチキュラーレンズの配列に対応させることができる。
【００１５】
また、他の発明は、上述の発明に加えて、記録媒体が載置される面に沿う面内で記録媒
体載置部を回転させる回転機構を備えることとする。
【００１６】
記録装置をこのように構成することで、記録位置をレンチキュラーレンズの線条方向に
対応させたものとすることができる。
【００１７】
また、他の発明は、上述の発明に加えて、係合部は、記録媒体のレンチキュラーレンズ
と同一部材からなることとする。
【００１８】
記録装置をこのように構成することで、係合部を容易に形成することができる。
【発明を実施するための最良の形態】
【００１９】
（第１の実施の形態）
以下に、本発明の第１の実施の形態に係る記録装置１について、図１から図４を参照し
ながら説明する。
【００２０】
図１は、記録装置１の概略の構成を示す概略構成図であり、記録装置１を斜め上方から
見た斜視図である。図１において、矢印Ｘの方向を前方（前側）とし、この反対方向を後
方（後側）とする。また、前方から後方に向かって右手方向となる矢印Ｙの方向を右方（
右側）とし、この反対方向である左手方向を左方（左側）とする。そして、矢印Ｚの方向
を上方（上側）とし、この反対方向を下方（下側）として、以下の説明を行うこととする
。
【００２１】
記録装置１は、記録媒体としてのレンチキュラーレンズシートＳ（図２、図３参照）が
載置される載置台２と、記録ヘッド３と、記録ヘッド３を互いに直交する２方向である左
右方向および前後方向に移動する記録ヘッド移動機構４等を有している。
【００２２】
ここで、レンチキュラーレンズシート（以下、単に、シートと記載する。）Ｓの構成に
ついて、図２を参照しながら簡単に説明する。シートＳは、透明な薄い樹脂シートの一方
の面にレンチキュラーレンズＳ１が形成され、他方の面に記録層Ｓ２が形成されている構
成となっている。レンチキュラーレンズＳ１は、半円形のシリンドリカルレンズであるレ
ンズ要素Ｓ３が複数、隙間無く平行に一定のピッチで配列された構成となっている。した
がって、例えば、記録層Ｓ２に、レンチキュラーレンズＳ１の配列ピッチや焦点距離等に
対応させて視差のある画像を記録し、この画像をレンチキュラーレンズＳ１の側から観察
すると、立体感のある画像として、あるいは見る角度によって異なる画像として観察する
ことができる。なお、シートＳは記録層Ｓ２を形成することなく、レンチキュラーレンズ
Ｓ１が形成される側と反対の面の樹脂部に直接記録を行う構成のものとしてもよい。
【００２３】
載置台２の上面には、シートＳが載置される記録媒体載置部としての載置面５が設けら
れている。載置面５には、係合部としての凸条部６が設けられている。凸条部６は、前後
方向に伸びる線条の凸条であり左右方向に複数平行に並設されている。凸条部６は、シー
トＳのレンチキュラーレンズＳ１のレンズ要素Ｓ３と同一形状に形成され、レンチキュラ
ーレンズＳ１と同一ピッチで配列されている。本実施の形態では、記録対象となるシート
Ｓの大きさより前後左右方向に、例えば、一周り程度大きな幅と長さのシートＳを用いて
いて、しかも、レンチキュラーレンズＳ１の側を上方に向け、記録層Ｓ２の側を載置台２
の上面に貼り付けて固定することで、凸条部６を形成している。つまり、凸条部６は、レ
ンチキュラーレンズＳ１と同一ピッチで形成され、シートＳを載置面５に載置したときに
、凸条部６が設けられる範囲の内側にシートＳを位置させることができる範囲に亘って設
けられている。
【００２４】
凸条部６を形成するシートは、例えば、記録対象となるシートＳを裁断する前の大判の
シート体から凸条部６が設けられる範囲に合わせて裁断したものを用いる。凸条部６は、
載置台２の上面に直接、切削等の加工処理を施し、レンチキュラーレンズＳ１と同一形状
に形成するようにしてもよいが、上述したように、シートＳを貼り付けることで、容易に
凸条部６を形成することができる。
【００２５】
なお、凸条部６は、Ａ−ＰＥＴ（Ａｍｏｒｐｈｏｕｓ  Ｐｏｌｙｅｔｈｙｌｅｎｅ  Ｔ
ｅｒｅｐｈｔｈａｌａｔｅ）、ＰＥＴＧ（Ｐｏｌｙｅｔｈｙｌｅｎｅ  Ｔｅｒｅｐｈｔｈ
ａｌａｔｅ  Ｇｌｙｃｏｌ）、ＰＥＴ（Ｐｏｌｙｅｔｈｙｌｅｎｅ  ｔｅｒｅｐｈｔｈａ
ｌａｔｅ)、アクリル、紫外線硬化樹脂等により形成することができる。また、凸条部６
は、耐摩耗性を向上させるためにフッ素樹脂コーティングを施しても良い。
【００２６】
記録ヘッド３は、キャリッジ８の下面に取り付けられている。本実施の形態では、記録
ヘッド３は、インクを吐出するインクジェット型の記録ヘッドとして構成されている。そ
して、記録ヘッド３は、記録ヘッド移動機構４により、左右方向および前後方向に移動可
能とされている。左右方向への移動は、キャリッジ８と、キャリッジガイド９と、タイミ
ングベルト１０等から構成される左右方向移動機構１１により実現されている。また、前
後方向への移動は、ボールねじ１２と、ガイドポール１３と、ボールネジ連結部１４、ガ
イドポール連結部１５および駆動モータ１６等から構成される前後方向移動機構１７によ
り実現されている。
【００２７】
キャリッジ８は、左右方向に延設されるキャリッジガイド９に移動可能に支持され、ま
た、キャリッジ用モータ１８により駆動されるタイミングベルト１０に取り付けられてい
る。したがって、キャリッジ用モータ１８によりタイミングベルト１０を左右方向に回転
駆動すると、キャリッジ８はキャリッジガイド９に沿って左右方向に移動する。そして、
キャリッジ８に取り付けられている記録ヘッド３もキャリッジ８と共にキャリッジガイド
９に沿って左右方向に移動することができる。つまり、キャリッジ用モータ１８の回転量
と回転方向を制御することで、記録ヘッド３を、左右方向について所望の位置に移動させ
ることができる。
【００２８】
左右方向移動機構１１は、前後方向移動機構１７の一部を構成するボールネジ連結部１
４およびガイドポール連結部１５に取り付けられている。ボールネジ連結部１４は、前後
方向に延設されるボールねじ１２に噛み合っている。ボールねじ１２は駆動モータ１６に
より回転される。また、ガイドポール連結部１５は、ガイドポール１３に摺動可能に支持
されている。ガイドポール１３は、ボールねじ１２に平行に前後方向に延設されている。
そして、ボールネジ連結部１４とガイドポール連結部１５の上面に、左右方向移動機構１
１が支持されている。したがって、駆動モータ１６によりボールねじ１２が回転させられ
ると、ボールねじ１２のリードに従ってボールネジ連結部１４が前後方向に移動し、ガイ
ドポール連結部１５および左右方向移動機構１１も一緒に前後方向に移動させられる。つ
まり、駆動モータ１６によりボールねじ１２を回転することにより、その回転量と回転方
向に応じて、左右方向移動機構１１を前後方向の所望の位置に移動することができる。上
述したように、キャリッジ用モータ１８および駆動モータ１６の駆動制御を行うことで、
記録ヘッド３を載置面５上の任意の位置に移動することができる。
【００２９】
上述のように構成される記録装置１により、シートＳに対して記録を行う場合には、図
３に示すように、シートＳのレンチキュラーレンズＳ１が形成されている側を載置面５の
側に向け、かつ、レンチキュラーレンズＳ１の線条方向を凸条部６の線条方向に沿わせる
ようにして、シートＳを載置面５に載置する。載置面５に載置されたシートＳのレンチキ
ュラーレンズＳ１と載置面５の凸条部６とは同一形状である。このため、図４に示すよう
に、レンチキュラーレンズＳ１の隣接するレンズ要素Ｓ３とレンズ要素Ｓ３の間に凸条部
６が入り、レンズ要素Ｓ３の側面（円弧面）に凸条部６が当接する。つまり、シートＳは
、凸条部６によりレンズ要素Ｓ３が係合された状態で載置面５に載置される。このように
、凸条部６にレンチキュラーレンズＳ１のレンズ要素Ｓ３を係合させることで、載置面５
に載置されるシートＳのレンチキュラーレンズＳ１の線条方向が、シートＳを載せ換える
度に異ならないようにすることができる。
【００３０】
ところで、シートＳに記録される画像は、１つのレンズ要素Ｓ３について所定の位置に
所定の画像が記録されることで、レンチキュラーレンズＳ１を介して記録画像を観察した
ときに、立体画像あるいは変り絵画像として観察することができる。したがって、記録画
像を立体画像あるいは変り絵画像として観察するためには、レンチキュラーレンズＳ１の
線条方向に沿って記録されるべき記録画像をレンチキュラーレンズＳ１の線条方向に沿っ
て記録する必要がある。
【００３１】
そこで、凸条部６にレンチキュラーレンズＳ１を係合させた状態で、載置面５に載置さ
れたシートＳのレンチキュラーレンズＳ１の線条方向と、レンチキュラーレンズＳ１の線
条方向に沿って記録されるべき記録画像との成す角度を測定する。そして、この角度に基
づいて記録画像の記録位置をレンチキュラーレンズＳ１の配列に対応するように調整する
ことで、記録画像をレンチキュラーレンズＳ１の線条方向に対応したものとすることがで
きる。
【００３２】
載置されたシートＳのレンチキュラーレンズＳ１の線条方向と、レンチキュラーレンズ
Ｓ１の線条方向に沿って記録されるべき記録画像との成す角度は、次のようにして測定す
ることができる。
【００３３】
凸条部６にレンチキュラーレンズＳ１を係合させた状態で、載置面５に載置されたシー
トＳに対して、記録装置１により図５に示すように、シートＳに対して検査用の画像であ
る複数本のラインＬｎから構成される検査用画像ＣＭを記録する。ラインＬｎのうち、中
心に位置するラインＬＡは、画像データ上では、前後方向、すなわちボールねじ１２の軸
方向に沿うラインとなっている。また、ラインＬＡの左右に有るラインＬｎは左右で異な
る方向に同一角度ずつ順に傾斜が累積したラインとなっている。
【００３４】
例えば、ラインＬＡよりも右側のラインＬｎは、レンチキュラーレンズＳ１の線条方向
に対して時計回りに０．０１度刻みで順に傾斜角を増すように設定し、ラインＬＡよりも
左側のラインＬｎは、レンチキュラーレンズＳ１の線条方向対して反時計回りに０．０１
度刻みで順に傾斜角を増すように設定する。このような検査用の画像データに基づいて、
凸条部６に係合した状態で載置面５に載置されるシートＳに検査用画像ＣＭを記録する。
そして、シートＳに記録された検査用画像ＣＭをレンチキュラーレンズＳ１の側から見る
と、図６に示すように、ラインＬｎの中でレンチキュラーレンズＳ１のレンズ要素Ｓ３の
母線（稜線）に沿って記録されているラインＬＢについては、連続した１本のラインとし
て視認することができる。他方、レンズ要素Ｓ３の母線（稜線）に沿って記録されていな
いラインＬｎについては複数のレンズ要素Ｓ３にまたがって記録されるため、例えば、ラ
インＬＣ等のように不連続に左右のいずれかの方向に分断されたラインとなる。
【００３５】
したがって、ラインＬｎの中で、レンチキュラーレンズＳ１を介して１本のラインで見
ることができるラインＬＢに対応するラインＬＡの傾斜角は、レンチキュラーレンズＳ１
の線条方向とレンチキュラーレンズＳ１の線条方向に沿って記録されるべき記録画像との
成す角度である。つまり、ラインＬＢに対応するラインＬＡの傾斜角を測定することで、
載置面Ｓに凸条部６にレンチキュラーレンズＳ１を係合させた状態で載置されたシートＳ
のレンチキュラーレンズＳ１の線条方向と、レンチキュラーレンズＳ１の線条方向に沿っ
て記録されるべき記録画像との成す角度の測定ができる。
【００３６】
載置されたシートＳのレンチキュラーレンズＳ１の線条方向と、レンチキュラーレンズ
Ｓ１の線条方向に沿って記録されるべき記録画像との成す角度は、載置されているシート
Ｓに換えて他の同一のシートＳを載置した場合にも同一となる。すなわち、検査用の画像
が記録されたシートＳに換えて、これと同一の他のシートＳを載置した場合にも、シート
ＳのレンチキュラーレンズＳ１の線条方向は、凸条部６の線条方向に沿ったものとなる。
つまり、検査用の画像が記録されたシートＳの線条方向とこのシートＳに換えて載置され
たシートＳのレンチキュラーレンズＳ１の線条方向は同一である。したがって、検査用の
画像が記録されたシートＳよりも後に載置され記録されるシートＳに対しては、測定され
た傾斜角に基づいて記録用画像を回転させた補正画像データを生成し、この補正画像デー
タに基づいて画像の記録を行うことで、記録位置をレンチキュラーレンズＳ１の線条方向
に対応させることができる。
【００３７】
上述のように、載置台２の載置面５に凸条部６を設けることで、載置面５に載置される
シートＳのレンチキュラーレンズＳ１の線条方向を一定にすることができる。このため、
シートＳを載せ換えても記録画像をレンチキュラーレンズＳ１の線条方向に対応したもの
とすることができる。
【００３８】
なお、シートＳに記録された画像を立体画像あるいは変り絵画像として観察するために
は、記録画像の記録位置を、レンチキュラーレンズＳ１の線条方向に対応させると共に、
レンズ要素Ｓ３の幅方向（レンチキュラーレンズＳ１の配列方向）に対しても所定位置と
なるようにする必要がある。そこで、不図示のシート端縁検出装置によりシートＳの端縁
を検出し、この端縁を基準にして、レンズ要素Ｓ３の幅方向についても所定位置に所定の
画像が記録されるように記録ヘッド３のインクの吐出タイミング等が図られる。
【００３９】
上述の例では、測定された傾斜角に基づいて記録用画像データを回転させた補正画像デ
ータを生成し、記録される画像の側をレンチキュラーレンズＳ１の線条方向に沿わせる構
成としている。これに対し、図７に示す記録装置２０のように、載置面５を載置面５に沿
う面内で回転可能な構成としてもよい。なお、図７は、記録装置２０の構成を示す分解斜
視図であり、上述の記録装置１と同様な構成については同一の符号を付し、その説明を省
略する。
【００４０】
記録装置２０は、載置面５を、左右方向、すなわち、凸条部６がレンチキュラーレンズ
Ｓ１のレンズ要素Ｓ３に係合する方向に移動する移動機構２１と、載置面５を載置面５に
沿う面内で回転させる回転機構２２が備えられている。移動機構２１は、左右方向移動板
２３と、ボールねじ２４と、ガイドポール２５等から構成されている。また、回転機構２
２は、回転板２６およびつまみ２７等から構成されている。
【００４１】
載置台２上に、左右方向移動板２３と回転板２６とを備え、回転板２６の上面に載置面
５が形成されている。載置台２の前後には、ボールねじ１２の軸と直角に配置されるボー
ルねじ２４とガイドポール２５が設けられている。左右方向移動板２３の前端部はボール
ねじ連結部２８によりボールねじ２４に連結し、また、左右方向移動板２３の後端部はス
リーブ２９によりガイドポール２５に連結している。左右方向移動板２３は、ボールねじ
２４の一端に設けられるつまみ３０を回転することで、載置台２上をボールねじ２４のリ
ードに従って左右方向に移動可能な構成となっている。
【００４２】
このように、移動機構２１により、左右方向移動板２３を左右方向に移動可能な構成と
することで、記録画像の記録位置が、レンチキュラーレンズＳ１に対する所定の記録位置
から左右方向、すなわちレンチキュラーレンズＳ１のレンズ要素Ｓ３の配列方向にずれて
いる場合には、つまみ３０を回転し左右方向移動板２３を左右に移動させることで、記録
画像の記録位置をレンチキュラーレンズＳ１の配列に対応させた所定の位置とすることが
できる。
【００４３】
回転機構２２は次のように構成されている。回転板２６の下面には、左右方向移動板２
３の上面に設けられる円環状の凸条３１の内周面に嵌合する円筒部３２が形成されている
。したがって、回転板２６は円筒部３２を中心に左右方向移動板２３の面上に回転可能に
支持されている。左右方向移動板２３の前側の縁部にはつまみ２７が設けられている。こ
のつまみ２７の周囲に歯部３３が形成される。また、回転板２６の前端縁には、前方に円
弧状に突出したギア部３４が形成されている。円筒部３２を凸条３１に嵌合させた状態で
回転板２６を左右方向移動板２３の上面に載置したときに、つまみ２７の歯部３３とギア
部３４とが噛み合うように、つまみ２７とギア部３４の配置等は構成されている。したが
って、つまみ２７を回転することで、円筒部３２を中心に、回転板２６を回転させること
ができる。
【００４４】
このように回転機構２２を構成することで、記録画像の記録位置が、レンチキュラーレ
ンズＳ１の線条方向と一致していない場合には、つまみ２７を回し回転板２６を回転させ
ることで、載置されているシートＳのレンチキュラーレンズＳ１の線条方向と、レンチキ
ュラーレンズＳ１の線条方向に沿って記録されるべき記録画像との成す角度を一致させる
ことができる。回転板２６の回転量は、シートＳに検査用画像ＣＭを記録して測定した角
度、すなわち、載置されたシートＳのレンチキュラーレンズＳ１の線条方向と、レンチキ
ュラーレンズＳ１の線条方向に沿って記録されるべき記録画像との成す角度とする。これ
により、載置面５に載置されたシートＳのレンチキュラーレンズＳ１の線条方向と、レン
チキュラーレンズＳ１の線条方向に沿って記録されるべき記録画像との成す角度を一致さ
せることができる。
【００４５】
（変形例）
上述の例では、載置面５の凸条部６はレンチキュラーレンズＳ１とレンズ要素Ｓ３の配
列と同一のピッチで形成したが、図８に示す記録装置４０のように、レンチキュラーレン
ズＳ１に係合する凸条４１をレンチキュラーレンズＳ１の配列ピッチの整数倍の間隔を空
けて配列してもよい。なお、図８においては、上述の記録装置１と同様な構成については
同一の符号を付し、その説明を省略する。このように凸条４１の間隔を空ける場合であっ
ても、レンチキュラーレンズＳ１の配列ピッチの整数倍のピッチで凸条４１を設けること
で、凸条４１をレンチキュラーレンズＳ１に確実に係合させることができる。なお、凸条
部６と凸条部４１は、少なくとも一本設けることで、レンチキュラーレンズＳ１の線条方
向が一定となるようにシートＳを位置決めすることができる。また、凸条部６と凸条部４
１は、設ける本数やシートＳの幅や長さ等を考慮し、シートＳが載置面５上で容易に回転
してしまわない所定の長さに設定する。
【００４６】
なお、図１、図７に示すように、凸条部６は、レンチキュラーレンズＳ１と同一ピッチ
で、シートＳを内側に位置させることができる範囲に亘って設けられている。このように
、凸条部６を、レンチキュラーレンズＳ１と同一ピッチで、シートＳを内側に位置させる
ことができる範囲に亘って設けることで、シートＳの全てのレンズ要素Ｓ３を凸条部６に
係合させることができ、位置決め精度を高く、かつ、位置決めを確実なものとすることが
できる。
【００４７】
また、各実施の形態において係合部は、凸条としたが、図９に示すように、隣り合うレ
ンズ要素Ｓ３とレンズ要素Ｓ３の間に入りレンズ要素Ｓ３に対して係合する突起部４２を
係合部としてもよい。突起部４２は、少なくとも２箇所に設けることで、レンチキュラー
レンズＳ１の線条方向が一定となるようにシートＳを位置決めすることができる。また、
係合部は、レンチキュラーレンズＳ１と同一の形状で、レンチキュラーレンズＳ１が嵌り
込む凹状の条部を係合部としてもよい。
【００４８】
ところで、凸条部６がシートＳを載置台２に貼り付けて形成されている場合には、凸条
部６が損傷したり磨耗したときには、凸条部６を取替えることが好ましい。そのため、載
置台２へのシートＰの貼り付けを再剥離性の接着剤、粘着材、吸着材とすることで、凸条
部６を取り替える際の剥離作業が容易になる。
【００４９】
なお、上記の実施例、およびその変形例では、凸条部６の線条方向は、Ｘ方向、すなわ
ち、キャリッジ８がキャリッジ用モータ１８により移動される方向と直交する方向に沿う
方向となっているが、凸条部６の線条方向をキャリッジ８がキャリッジ用モータ１８によ
り移動される方向に沿う方向としてもよい。
【図面の簡単な説明】
【００５０】
【図１】本発明の第１の実施の形態に係る記録装置の斜視図である。
【図２】シートの構成を示す図である。
【図３】記録装置にシートを載置した状態を示す図である。
【図４】記録装置に載置されたシートと凸条部との係合状態を示す図である。
【図５】検査用画像の記録内容を示す図である。
【図６】検査用画像をレンチキュラーレンズの側から見たときの画像を示す図である。
【図７】本発明の第２の実施の形態に係る記録装置の斜視図である。
【図８】本発明の第１の実施の形態に係る記録装置の変形例を示す図である。
【図９】本発明の第１の実施の形態に係る記録装置の他の変形例を示す図である。
【符号の説明】
【００５１】
Ｓ  ・・・  シート（記録媒体）  ，  Ｓ１  ・・・  レンチキュラーレンズ  ，  １
、２０、４０  ・・・  記録装置  ，  ２  ・・・  載置台  ，  ３  ・・・  記録ヘッ
ド  ，  ５  ・・・  載置面（記録媒体載置部）  ，  ６、４１・・・  凸条部（係合部
）  ，  ２１  ・・・  移動機構  ，  ２２  ・・・  回転機構  ，  ４２  ・・・突起
部（係合部）
【図１】
2009288750.tif 000003
【図２】
2009288750.tif 000004
【図３】
2009288750.tif 000005
【図４】
2009288750.tif 000006
【図５】
2009288750.tif 000007
【図６】
2009288750.tif 000008
【図７】
2009288750.tif 000009
【図８】
2009288750.tif 000010
【図９】
2009288750.tif 000011